(57)【要約】【課題】ネットワークを通じた地図提供サービス、特に表示される地図中の一部領域に関する詳細地図を提供する部分詳細地図表示装置およびその方法を提供する。【解決手段】使用者がディスプレイされる地図中の特定領域について詳細地図を要請すれば、地図提供サーバからネットワークを通じて該当領域の詳細地図データを伝送されて、元の地図データと合成して２つの相異なる縮尺の地図データが合成された地図を使用者側のディスプレイ装置に表示する部分詳細地図表示装置およびその方法。これにより、全体地図と共に特定領域の詳細地図を表示することによって地図の可読性を改善して、所望の地理情報を容易に得ることができる。【選択図】　図２
2004062182.tif 000002
【特許請求の範囲】
【請求項１】
多数の縮尺別地図データを具備した地図提供サーバからネットワークを通じて地図データを提供されて使用者に表示する地図表示装置において、
前記サーバから既伝送の第１縮尺の地図データである第１データを貯蔵するメモリと、
前記使用者の入力によって前記第１縮尺の地図上の一部領域を選択するための領域選択信号を発生させる入力手段と、
前記領域選択信号に応答して前記領域を選択し、前記領域の第２縮尺の地図データである第２データの伝送要請信号を出力する領域選択部と、
前記第２データの伝送要請信号を入力されて前記サーバに伝送し、前記サーバから前記第２データを受信するネットワークインターフェース部と、
前記ネットワークインターフェース部から前記第２データを入力されて分析して画面上に表示するためのデータである第３データに変換する分析部と、
前記第３データのスケールを調整して前記選択された領域の大きさに一致させた第４データを生成する調整部と、
前記第１データの前記選択された領域に前記第４データを合成する合成部とを具備することを特徴とする部分詳細地図を提供する地図表示装置。
【請求項２】
前記使用者が前記入力手段を操作して前記領域を特定することを特徴とする請求項１に記載の部分詳細地図を提供する地図表示装置。
【請求項３】
前記使用者が前記入力手段を利用して前記地図上の一点を選択すれば、前記領域選択部で前記選択された点を基準に所定範囲の領域を選択することを特徴とする請求項１に記載の部分詳細地図を提供する地図表示装置。
【請求項４】
前記第２縮尺は前記第１縮尺より低い縮尺であることを特徴とする請求項１に記載の部分詳細地図を提供する地図表示装置。
【請求項５】
多数の縮尺別地図データを具備した地図提供サーバからネットワークを通じて地図データを提供されて使用者に表示する地図表示方法において、
（ａ）前記サーバから既伝送の第１縮尺の地図データである第１データを貯蔵する段階と、
（ｂ）前記使用者の入力によって前記第１縮尺の地図上の一部領域を選択するための領域選択信号を発生させる段階と、
（ｃ）前記領域選択信号に相応する領域を選択する段階と、
（ｄ）前記サーバに前記領域の第２縮尺の地図データである第２データの伝送を要請する段階と、
（ｅ）前記サーバから前記第２データを受信する段階と、
（ｆ）前記第２データを分析して画面上に表示するためのデータである第３データに変換する分析段階と、
（ｇ）前記第３データのスケールを調整して前記選択された領域の大きさに一致させた第４データを生成する調整段階と、
（ｈ）前記第１データの前記選択された領域に前記第４データを合成する合成段階とを含むことを特徴とする部分詳細地図を提供する地図表示方法。
【請求項６】
前記（ｂ）段階で前記使用者が所定の入力手段を操作して前記領域を特定して前記領域選択信号を発生させることを特徴とする請求項５に記載の部分詳細地図を提供する地図表示方法。
【請求項７】
前記（ｂ）段階で前記使用者が所定入力手段を操作して前記地図上の一点を選択すれば、前記（ｃ）段階で前記選択された点を基準に所定範囲の領域を選択することを特徴とする請求項５に記載の部分詳細地図を提供する地図表示方法。
【請求項８】
前記第２縮尺は前記第１縮尺より低い縮尺であることを特徴とする請求項５に記載の部分詳細地図を提供する地図表示方法。
【請求項９】
多数の縮尺別地図データを具備した地図提供サーバからネットワークを通じて地図データを提供されて使用者に表示する地図表示方法において、
（ａ）前記サーバから既伝送の第１縮尺の地図データである第１データを貯蔵する段階と、
（ｂ）前記使用者の入力によって前記第１縮尺の地図上の一部領域を選択するための領域選択信号を発生させる段階と、
（ｃ）前記領域選択信号に相応する領域を選択する段階と、
（ｄ）前記サーバに前記領域の第２縮尺の地図データである第２データの伝送を要請する段階と、
（ｅ）前記サーバから前記第２データを受信する段階と、
（ｆ）前記第２データを分析して画面上に表示するためのデータである第３データに変換する分析段階と、
（ｇ）前記第３データのスケールを調整して前記選択された領域の大きさに一致させた第４データを生成する調整段階と、
（ｈ）前記第１データの前記選択された領域に前記第４データを合成する合成段階とを含むことを特徴とする部分詳細地図を提供する地図表示方法を実現するためのプログラムを記録したコンピュータにて再生できる記録媒体。
【発明の詳細な説明】
【０００１】
【発明の属する技術分野】
本発明はネットワークを通じた地図の提供に係り、特に表示される地図の一部領域に関する詳細な地図を提供する部分詳細地図表示装置およびその方法に関する。
【０００２】
【従来の技術】
従来のインターネット基盤のウェブで行われる地図提供サービスにおいて、現在使用者側の地図表示装置、例えば、コンピュータやＰＤＡのディスプレイ装置に表示される地図中の一部領域の詳細地図を見る過程は次の通りである。詳細地図を希望する領域をコンピュータの場合にはマウス、ＰＤＡの場合にはスタイラスペンなどの入力手段を利用して使用者が選択すれば、ネットワークを通じて地図提供サーバから該当領域に関する低縮尺の地図データを使用者側に伝送して該当領域の全体が拡大された詳細な地図を表示する。
【０００３】
ここで、地図提供サーバはレイヤ構造を有する地図データを貯蔵している。レイヤとは、同一地域について多様な縮尺の地図データが貯蔵された場合に各縮尺別地図データをいう。このようなレイヤ構造においては、高縮尺の地図で多すぎるデータを示せば画面に詳細な地図データまでディスプレイされて地図を読めなくなるために縮尺別に地図データを別にする。したがって、高縮尺の地図データは広い地域を示すが、詳細な地理的情報は示すことができず、低縮尺の地図データはその逆となる。
【０００４】
図１は、従来技術により詳細地図を表示した一例を示す図面である。左側の地図は１：９０００の縮尺で描かれた地図であって、使用者が点線で表示された領域に関する詳細地図を要請した場合に示される。右側の地図は点線で表示された領域に関する詳細地図であって、１：３０００の縮尺で描かれた地図である。
【０００５】
図１に示したように従来のネットワークを通じた地図提供サービスは、詳細地図を要請すれば該当領域を含む低縮尺の地図全体が表示され、直前高縮尺の地図は表示されない。したがって、画面にディスプレイされる全体地図を拡大させることによって、使用者の所望の部分だけを見るには地図を読むことができず、画面上に示された実際面積が小さくなって周辺地域と比較して全体的な位置を把握し難く、全体的な位置を把握するためには数回の地図移動が必要な問題点がある。
【０００６】
【発明が解決しようとする課題】
前述した従来技術の問題点を解決するために本発明が解決しようとする技術的課題は、ネットワークを通じた地図提供サービスにおいて使用者の所望の一部領域に関する詳細地図を元の地図上の該当領域に表示する部分詳細地図を表示する装置を提供するところにある。
【０００７】
本発明が解決しようとする他の技術的課題は、ネットワークを通じた地図提供サービスにおいて使用者の所望の一部領域に関する詳細地図を元の地図上の該当領域に表示する部分詳細地図を表示する方法を提供するところにある。
【０００８】
【課題を解決するための手段】
前記課題を解決するために本発明による部分詳細地図を表示する装置は、多数の縮尺別地図データを具備した地図提供サーバからネットワークを通じて地図データを提供されて使用者に表示する地図表示装置において、前記サーバから既伝送の第１縮尺の地図データである第１データを貯蔵するメモリと、前記使用者の入力によって前記第１縮尺の地図上の一部領域を選択するための領域選択信号を発生させる入力手段と、前記領域選択信号に応答して前記領域を選択し、前記領域の第２縮尺の地図データである第２データの伝送要請信号を出力する領域選択部と、前記第２データの伝送要請信号を入力されて前記サーバに伝送し、前記サーバから前記第２データを受信するネットワークインターフェース部と、前記ネットワークインターフェース部から前記第２データを入力されて分析して画面上に表示するためのデータである第３データに変換する分析部と、前記第３データのスケールを調整して前記選択された領域の大きさに一致させた第４データを生成する調整部と、前記第１データの前記選択された領域に前記第４データを合成する合成部とを具備することを特徴とすることが望ましい。
【０００９】
前記他の課題を解決するために本発明による部分詳細地図を表示する方法は、多数の縮尺別地図データを具備した地図提供サーバからネットワークを通じて地図データを提供されて使用者に表示する地図表示方法において、（ａ）前記サーバから既伝送の第１縮尺の地図データである第１データを貯蔵する段階と、（ｂ）前記使用者の入力によって前記第１縮尺の地図上の一部領域を選択するための領域選択信号を発生させる段階と、（ｃ）前記領域選択信号に相応する領域を選択する段階と、（ｄ）前記サーバに前記領域の第２縮尺の地図データである第２データの伝送を要請する段階と、（ｅ）前記サーバから前記第２データを受信する段階と、（ｆ）前記第２データを分析して画面上に表示するためのデータである第３データに変換する分析段階と、（ｇ）前記第３データのスケールを調整して前記選択された領域の大きさに一致させた第４データを生成する調整段階と、（ｈ）前記第１データの前記選択された領域に前記第４データを合成する合成段階とを含むことを特徴とすることが望ましい。
【００１０】
本発明の特徴および利点は、添付した図面に基づいた次の望ましい実施例について詳細に説明することによってさらに明らかになる。この前に、本明細書および特許請求の範囲に使われた用語や単語は、発明者が自分の発明を最も最善の方法で説明するために用語の概念を適切に定義できるという原則に立脚して本発明の技術的思想に符合する意味および概念として解釈されねばならない。
【００１１】
【発明の実施の形態】
以下、本発明による望ましい実施例を添付した図面を参照して詳細に説明する。
【００１２】
本発明による部分詳細地図表示装置はネットワーク機能を有しており、ネットワークを通じて多数の縮尺別地図データを貯蔵した地図提供サーバから地図データを伝送されてディスプレイ装置を通じて使用者に表示する。このような地図表示装置にはネットワーク機能を有しているパソコン、ＰＤＡなどがある。一方、ネットワークは有線網でもあり、無線網でもある。
【００１３】
図２は、本発明による部分詳細地図表示装置を説明するためのブロック図であり、入力手段１００、領域選択部１１０、メモリ１２０、ネットワークインターフェース部１３０、分析部１４０、調整部１５０、合成部１６０およびディスプレイ部１７０で構成される。
【００１４】
まず、メモリ１２０は地図提供サーバ（図示せず）から既伝送の第１縮尺の地図データ（以下、第１データという）を貯蔵する。
【００１５】
使用者は入力手段１００を操作してディスプレイ部１７０に表示された前記第１縮尺の地図上で他の縮尺で表示される特定領域を選択する。入力手段１００の例には、コンピュータのマウスやＰＤＡのスタイラスペンなどがある。マウスを利用する場合には使用者がマウスをドラッグして特定領域を選択できる。またスタイラスペンを利用する場合には希望の特定領域の中心位置に該当する点をタッチして選択できる。
【００１６】
領域選択部１１０は、入力手段１００により選択された領域を示す領域選択信号を入力される。入力手段１００により入力された領域選択信号は選択された領域を画面座標系で表現した信号であるが、このような領域選択信号をメモリ１２０に貯蔵された第１データを参照して経緯度座標系に変換して選択された領域に対する第２縮尺の地図データ（以下、第２データという）の伝送要請信号を出力する。第２縮尺が第１縮尺より低縮尺である場合には選択された領域に関する詳細地図となる。一方、第２縮尺が第１縮尺より高縮尺である場合には選択された領域に関する詳細地図までとは行かないが、概略的な地理を容易に把握できる地図となる。一方、使用者がマウスをドラッグして領域を選択せずにスタイラスペンを利用してディスプレイ装置に表示された地図上の一点を選択した場合には、領域選択部１１０で前記選択された点を基準に所定範囲の領域を選択することもある。例えば、選択された点を基準に長さ３ｃｍ、幅３ｃｍの領域が選択されたと処理できる。
【００１７】
ネットワークインターフェース部１３０は、地図提供サーバと地図表示装置との間のインターフェース機能を提供する。すなわち、領域選択部１１０から前記第２データの伝送要請信号を入力されて地図提供サーバに伝送し、地図提供サーバから伝送された前記第２データを含むデータを受信する。
【００１８】
分析部１４０はネットワークインターフェース部１３０から前記第２データが含まれたデータを入力されてデータの有効性有無、データのエラー有無などを分析してエラーがある部分のデータについては地図提供サーバに完全なデータの再伝送を要請する。データ分析後には第２データを画面上に表示するためのフォーマットのデータ（以下、第３データという）に変換して調整部１５０とメモリ１２０とに出力する。
【００１９】
調整部１５０はメモリ１２０に貯蔵された第１データおよび選択された領域の位置、大きさ情報を参考として第３データのスケールを調整して前記選択された領域の大きさに一致させたデータ（以下、第４データという）を生成する。地図提供サーバから提供する地図データはベクトル地図データであるため、調整部１５０でスケールを調整することができる。
【００２０】
合成部１６０は、第１データの選択された領域に調整部１５０から入力された第４データを合成してディスプレイ部１７０に出力し、ディスプレイ部１７０を通じて選択された領域のみが縮尺が相異なる合成された地図が使用者に表示される。すなわち、元の第１縮尺の地図が画面上に同じ大きさで表示されるが、選択された領域部分については第２縮尺の地図が挿入されて２つの相異なる縮尺の地図が合成された地図が表示される。
【００２１】
図４は、本発明による部分詳細地図表示装置を利用した場合にディスプレイ装置上に表示された部分詳細地図の一例を示す図面である。左側地図は第１縮尺（１：９０００）の地図であり、最初に使用者のディスプレイ装置上に表示された地図である。ここで点線で表示された領域が使用者が詳細地図を要請するために選択した領域となる。右側地図は、詳細地図を要請した領域に関する第２縮尺（１：３０００）の詳細地図が地図提供サーバから伝送されて本発明の部分詳細地図表示装置で合成されて表示された地図である。したがって、元の地図はそのまま維持され、選択された領域だけ詳細地図に取り替えられていることが分かる。
【００２２】
以下、図２および図３を参照して本発明による部分詳細地図表示方法を説明する。
【００２３】
図３は、本発明による部分詳細地図表示方法を説明するためのフローチャートである。
【００２４】
まず、ディスプレイ装置１７０の画面上に地図提供サーバから既伝送の第１縮尺の地図が表示される（第２００段階）。
【００２５】
使用者は入力手段１００を利用して第２縮尺の地図で見ることを所望する領域を選択する（第２１０段階）。
【００２６】
領域選択部１１０は、第２１０段階で選択された領域に関する第２縮尺の地図データの伝送をネットワークインターフェース部１３０を通じて地図提供サーバに要請する（第２２０段階）。
【００２７】
地図提供サーバから第２縮尺の地図データを含むデータをネットワークインターフェース部１３０から受信する（第２３０段階）。
【００２８】
分析部１４０では受信したデータを分析してデータの有効性有無、エラー有無などを分析し、ディスプレイ装置に表示するためのデータに変換する（第２４０段階）。
【００２９】
調整部１５０は、分析部１４０から入力された第２縮尺の地図データのスケールを調整して選択された領域の大きさに一致させる（第２５０段階）。
【００３０】
合成部１６０は、第１縮尺の地図の選択された領域に調整部１５０から入力されたスケールが調整された第２縮尺の地図データを合成する（第２６０段階）。
【００３１】
合成部１６０から合成された地図データを入力されてディスプレイ部１７０に地図を出力する（第２７０段階）。
【００３２】
使用者から同一領域についてさらに他の縮尺の地図が要請されたかどうかを判断する（第２８０段階）。さらに他の縮尺の地図が要請されたならば、第２２０段階に戻って第２２０段階ないし第２８０段階を反復する。
【００３３】
しかし、さらに他の縮尺の地図が要請されない場合には他の領域について他の縮尺の地図が要請されたかどうかを判断する（第２９０段階）。他の領域について他の縮尺の地図が要請されたならば、第２２０段階に戻って第２２０段階ないし第２９０段階を反復する。
【００３４】
本発明は、またコンピュータにて再生できる記録媒体にコンピュータにて読取りできるコードとして具現できる。コンピュータにて再生できる記録媒体は、コンピュータシステムによって再生できるデータが貯蔵されるあらゆる記録装置を含む。コンピュータにて再生できる記録媒体の例には、ＲＯＭ、ＲＡＭ、ＣＤ−ＲＯＭ、磁気テープ、フロッピー（登録商標）ディスク、光データ貯蔵装置などがあり、またキャリヤウェーブ（例えば、インターネットを通じる伝送）の形で具現されるものも含む。また、コンピュータにて再生できる記録媒体はネットワークに連結されたコンピュータシステムに分散され、分散方式でコンピュータが読取りできるコードに貯蔵されて実行される。
【００３５】
【発明の効果】
以上述べたように、本発明による部分詳細地図表示装置およびその方法は、使用者が詳細地図を要請した領域に関する地図データを地図提供サーバから伝送されて元の地図と合成して２つの縮尺の地図データが合成された地図を表示することによって地図の可読性を改善させ、選択された領域以外の領域については元の地図をそのまま表示することによって選択された領域の詳細な地図とその周辺の全体地図を同時に見ることができる効果を有する。
【図面の簡単な説明】
【図１】従来技術により詳細地図を表示した一例を示す図面である。
【図２】本発明による部分詳細地図表示装置を説明するためのブロック図である。
【図３】本発明による部分詳細地図表示方法を説明するためのフローチャートである。
【図４】本発明による部分詳細地図表示装置を利用した場合において、ディスプレイ装置上に表示された部分詳細地図の一例を示す図面である。
【符号の説明】
１００　入力手段
１１０　領域選択部
１２０　メモリ
１３０　ネットワークインターフェース部
１４０　分析部
１５０　調整部
１６０　合成部
１７０　ディスプレイ部
【図１】
2004062182.tif 000003
【図２】
2004062182.tif 000004
【図３】
2004062182.tif 000005
【図４】
2004062182.tif 000006